(57)【要約】【課題】折込部に直交する方向に容易に開封することができて、ほぼ一定の形状の開口を得ることができるガセットタイプ包装袋を提供することである。【解決手段】矩形状積層体の対向する端縁同士を重ね合わせ熱接着した合掌シール部が対向する両側部に設けた折込部の一方の折込部の一つの側端縁に位置するように構成した筒状体の上下端縁部を熱接着して密封したガセットタイプ包装袋において、前記合掌シール部を形成した前記折込部の他の側端縁に側端縁熱接着部を形成し、前記合掌シール部と前記側端縁熱接着部の対向する位置に開封開始手段を形成し、該開封開始手段により包装袋を引裂いた際の引裂き仮想線上にある他方の折込部の折込先端部を含むように前記内層同士を熱接着した開封補助熱接着部を設けると共に前記開封補助熱接着部内の前記折込先端部を少なくとも切断する開封補助手段を設けたことを特徴とするガセットタイプの包装袋。【選択図】        図１
2004237995.tif 000002
【特許請求の範囲】
【請求項１】
少なくとも内層が熱接着性樹脂層からなる矩形状積層体の対向する端縁を前記内層同士が当接するように重ね合わせて熱接着して合掌シール部を有する筒状体となし、該筒状体の対向する両側部に横断面Ｖ字状の折込部を設け、その一方の折込部の一方の側端縁に前記合掌シール部が位置するように構成し、前記筒状体の上下端縁部を上下端縁熱接着部で熱接着して密封したガセットタイプ包装袋において、前記合掌シール部を形成した前記一方の折込部の他方の側端縁に側端縁熱接着部を形成し、前記合掌シール部と前記側端縁熱接着部の対向する位置に開封開始手段を形成し、該開封開始手段により包装袋を引裂いた際の引裂き仮想線上にある他方の前記折込部の折込先端部を含むように前記折込先端部を跨いで前記内層同士を熱接着した開封補助熱接着部を設けると共に前記開封補助熱接着部内の他方の前記折込部の折込先端部を少なくとも切断する開封補助手段を設けたことを特徴とするガセットタイプ包装袋。
【請求項２】
少なくとも内層が熱接着性樹脂層からなる矩形状積層体の対向する端縁を前記内層同士が当接するように重ね合わせて熱接着して合掌シール部を有する筒状体となし、前記合掌シール部が背シール部を構成するように前記筒状体の対向する両側部に横断面Ｖ字状の折込部を形成して前記筒状体の上下端縁部を上下端縁熱接着部で熱接着して密封したガセットタイプ包装袋において、一方の前記折込部の２つの側端縁部の対向する位置に側端縁熱接着部を設けると共に該側端縁熱接着部の対向する位置に開封開始手段を形成し、該開封開始手段により包装袋を引裂いた際の引裂き仮想線上にある前記合掌シール部の根元部に合掌シール部開封補助手段を設け、さらに前記引裂き仮想線上にある他方の前記折込部の折込先端部を含むように前記折込先端部を跨いで前記内層同士を熱接着した開封補助熱接着部を設けると共に前記開封補助熱接着部内の他方の前記折込部の折込先端部を少なくとも切断する開封補助手段を設けたことを特徴とするガセットタイプ包装袋。
【請求項３】
少なくとも内層が熱接着性樹脂層からなる矩形状積層体の対向する端縁を前記内層同士が当接するように重ね合わせて熱接着して合掌シール部を有する筒状体となし、前記合掌シール部が背シール部を構成するように前記筒状体の対向する両側部に横断面Ｖ字状の折込部を形成すると共に前記合掌シール部の根元部を一方の前記折込部の折込先端部とほぼ合致する位置となるように構成し、前記筒状体の上下端縁部を上下端縁熱接着部で熱接着して密封したガセットタイプ包装袋において、他方の前記折込部の２つの側端縁部の対向する位置に側端縁熱接着部を設けると共に該側端縁熱接着部の対向する位置に開封開始手段を形成し、該開封開始手段により包装袋を引裂いた際の引裂き仮想線上にある前記一方の折込部の折込先端部および前記合掌シール部の前記根元部を含むように前記折込先端部および前記合掌シール部の前記根元部を跨いで前記内層同士を熱接着した開封補助熱接着部を設けると共に前記開封補助熱接着部内の前記一方の折込部の折込先端部および前記合掌シール部の前記根元部を少なくとも切断する開封補助手段を設けたことを特徴とするガセットタイプ包装袋。
【発明の詳細な説明】
【０００１】
【発明の属する技術分野】
本発明は、開封が容易なガセットタイプ包装袋に関するものである。
【０００２】
【従来の技術】
従来から、内容物の収容容積〔包装内容積（ｃｍ３）／包装材面積（ｃｍ２）比〕が大きく、内容物の単位収容量当たりの包装材コストが安価であり、また、立てた状態で陳列することができるためにスペース的にも有利であり商品見栄えが良いなどの理由から収容量の多い内容物に好適な袋としてガセットタイプ包装袋が用いられている。
【０００３】
しかし、ガセットタイプ包装袋は、両側部に横断面Ｖ字状の折込部があり、この折込部を外した折込部と直交する端縁にＶ字状やＩ字状の切欠や切込を設け、これを開封開始手段として袋を開封するように構成されている。この開封開始手段により袋を開封すると、縦方向（折込部に平行な方向）に不規則な形状に開口するために、粉体や顆粒状等の内容物の場合には、開封時に内容物が零れて周囲に飛散するといった問題や使用後に残った内容物を保管する際には、開封した開口を塞ぐことが結構煩雑であるといった問題があった。
【０００４】
そこで、上記問題を解決するガセットタイプ包装袋が提案されている（たとえば、特許文献１参照）。特許文献１記載の考案は、ガセットタイプ包装袋を横方向（折込部に直交する方向）に開封する工夫が盛込まれた提案であって、袋体の横方向側部に側シール部を設けると共に該側シール部に開口シール部の内側を横方向に引き裂き得るノッチを設け、ノッチの反対側に位置する折り込み部にノッチから延びる引き裂き予定線上における折り込み内部先端角部と表裏面とをスポット状のヒートシール部で溶着して一体化した構成からなるガセットタイプ包装袋であって、このように構成することによりガセットタイプ包装袋を横方向（折込部に直交する方向）にほぼ一定の形状に開口することができて粉体や顆粒状等の内容物の場合においても開封時に内容物が零れる虞がなく、使用後に残った内容物を保管する際にも開封した開口を容易に塞ぐことができるというものである。
【０００５】
しかしながら、本発明者が実際に特許文献１記載の考案に基づいて袋を試作して引き裂き開封を試みたところ、折り込み内部先端角部までは容易に引き裂くことができるが、引き裂きが進み引き裂き先端がスポット状のヒートシール部の折り込み内部先端角部に至ると折り込み内部先端角部が引き裂き時に大きな抗引き裂き部となり、スムーズに引き裂くことができなかった。
【０００６】
【特許文献１】
実開平５−２６８３８号公報
【０００７】
【発明が解決しようとする課題】
そこで本発明は、折込部に直交する方向に容易に開封することができて、ほぼ一定の形状の開口を得ることができるガセットタイプ包装袋を提供することである。
【０００８】
【課題を解決するための手段】
本発明者は、上記課題を達成するために、請求項１記載の本発明は、少なくとも内層が熱接着性樹脂層からなる矩形状積層体の対向する端縁を前記内層同士が当接するように重ね合わせて熱接着して合掌シール部を有する筒状体となし、該筒状体の対向する両側部に横断面Ｖ字状の折込部を設け、その一方の折込部の一方の側端縁に前記合掌シール部が位置するように構成し、前記筒状体の上下端縁部を上下端縁熱接着部で熱接着して密封したガセットタイプ包装袋において、前記合掌シール部を形成した前記一方の折込部の他方の側端縁に側端縁熱接着部を形成し、前記合掌シール部と前記側端縁熱接着部の対向する位置に開封開始手段を形成し、該開封開始手段により包装袋を引裂いた際の引裂き仮想線上にある他方の前記折込部の折込先端部を含むように前記折込先端部を跨いで前記内層同士を熱接着した開封補助熱接着部を設けると共に前記開封補助熱接着部内の他方の前記折込部の折込先端部を少なくとも切断する開封補助手段を設けたことを特徴とするものである。
【０００９】
また、請求項２記載の本発明は、少なくとも内層が熱接着性樹脂層からなる矩形状積層体の対向する端縁を前記内層同士が当接するように重ね合わせて熱接着して合掌シール部を有する筒状体となし、前記合掌シール部が背シール部を構成するように前記筒状体の対向する両側部に横断面Ｖ字状の折込部を形成して前記筒状体の上下端縁部を上下端縁熱接着部で熱接着して密封したガセットタイプ包装袋において、一方の前記折込部の２つの側端縁部の対向する位置に側端縁熱接着部を設けると共に該側端縁熱接着部の対向する位置に開封開始手段を形成し、該開封開始手段により包装袋を引裂いた際の引裂き仮想線上にある前記合掌シール部の根元部に合掌シール部開封補助手段を設け、さらに前記引裂き仮想線上にある他方の前記折込部の折込先端部を含むように前記折込先端部を跨いで前記内層同士を熱接着した開封補助熱接着部を設けると共に前記開封補助熱接着部内の他方の前記折込部の折込先端部を少なくとも切断する開封補助手段を設けたことを特徴とするものである。
【００１０】
また、請求項３記載の本発明は、少なくとも内層が熱接着性樹脂層からなる矩形状積層体の対向する端縁を前記内層同士が当接するように重ね合わせて熱接着して合掌シール部を有する筒状体となし、前記合掌シール部が背シール部を構成するように前記筒状体の対向する両側部に横断面Ｖ字状の折込部を形成すると共に前記合掌シール部の根元部を一方の前記折込部の折込先端部とほぼ合致する位置となるように構成し、前記筒状体の上下端縁部を上下端縁熱接着部で熱接着して密封したガセットタイプ包装袋において、他方の前記折込部の２つの側端縁部の対向する位置に側端縁熱接着部を設けると共に該側端縁熱接着部の対向する位置に開封開始手段を形成し、該開封開始手段により包装袋を引裂いた際の引裂き仮想線上にある前記一方の折込部の折込先端部および前記合掌シール部の前記根元部を含むように前記折込先端部および前記合掌シール部の前記根元部を跨いで前記内層同士を熱接着した開封補助熱接着部を設けると共に前記開封補助熱接着部内の前記一方の折込部の折込先端部および前記合掌シール部の前記根元部を少なくとも切断する開封補助手段を設けたことを特徴とするものである。
【００１１】
請求項１〜３のいずれかに記載の構成とすることにより、折込部に直交する方向に容易に開封することができて、ほぼ一定の形状の開口を得ることができる。
【００１２】
【発明の実施の形態】
上記の本発明について、図面等を用いて以下に詳しく説明する。
図１は本発明にかかるガセットタイプ包装袋の第１実施形態を示す要部斜視図、図２（ａ）は図１のガセットタイプ包装袋を開封した開口面を図解的に示す平面図、図２（ｂ）は図２（ａ）の開口面の開封補助熱接着部を剥離した状態の開口面を図解的に示す平面図、図３は本発明にかかるガセットタイプ包装袋の第２実施形態を示す要部斜視図、図４は図３のガセットタイプ包装袋に設けるハーフカットの設け方を説明する図、図５は本発明にかかるガセットタイプ包装袋の第３実施形態を示す要部斜視図であり、図中の１，１’，１”はガセットタイプ包装袋、２はＩノッチ、３は開封補助熱接着部、４は直線状切込、５はハーフカット、１０は合掌シール部、１１、１２、１３は側端縁熱接着部、２０は上端縁熱接着部、３０は合掌シール部の根元部、Ａ，Ｂは折込部、Ｂ１は折込先端部、αは引裂き仮想線をそれぞれ示す。
【００１３】
図１は本発明にかかるガセットタイプ包装袋の第１実施形態を示す要部斜視図であって、ガセットタイプ包装袋１は、少なくとも外層と熱接着性樹脂層の内層とからなる矩形状積層体の対向する端縁を前記内層同士が当接するように重ね合わせて熱接着して合掌シール部１０を有する筒状体となし、該筒状体の対向する両側部に横断面Ｖ字状の折込部Ａ、Ｂを設け、前記折込部Ａの一方の側端縁に前記合掌シール部１０が位置するように構成して前記筒状体の上下端縁部を上端縁熱接着部２０および下端縁熱接着部（図示せず）で熱接着して密封すると共に、前記合掌シール部１０を形成した前記折込部Ａの他方の側端縁に前記上端縁熱接着部２０に連接して側端縁熱接着部１１を形成し、さらに前記合掌シール部１０と前記側端縁熱接着部１１の対向する位置に開封開始手段としてのＩノッチ２、２を形成し、該Ｉノッチ２、２により包装袋を引裂いた際の引裂き仮想線α上にある前記折込部Ｂの折込先端部Ｂ１を含むように前記折込先端部Ｂ１を跨いで前記内層同士を熱接着した開封補助熱接着部３を前記上端縁熱接着部２０に連接して設けると共に前記開封補助熱接着部３内に前記折込先端部Ｂ１を少なくとも切断する開封補助手段としての一本の直線状切込４を引裂き仮想線αとほぼ一致するように包装袋を貫通して設けたものである。
【００１４】
このように構成したガセットタイプ包装袋１は、密封性に優れると共に開封する際には前記折込部Ａの前記合掌シール部１０と前記側端縁熱接着部１１とに設けた両Ｉノッチ２を開封開始手段として引裂くことにより引裂き仮想線αに沿って引裂かれ、引裂き線が前記折込先端部Ｂ１近傍に達すると前記折込部Ｂの前記折込先端部Ｂ１を含むように前記折込先端部Ｂ１を跨いで前記内層同士を熱接着した開封補助熱接着部３と、この開封補助熱接着部３内に設けた前記折込先端部Ｂ１を少なくとも切断する直線状切込４との協働により前記折込先端部Ｂ１も抵抗なく引裂くことができ、図２（ａ）に示すようなほぼ一定の形状の開口を得ることができる。さらに図２（ａ）の符号３で示す開封補助熱接着部を手指で剥離することにより図２（ｂ）に示すような大きな開口を得ることができる。
【００１５】
図３は本発明にかかるガセットタイプ包装袋の第２実施形態を示す一部切欠要部斜視図であって、ガセットタイプ包装袋１’は、少なくとも外層と熱接着性樹脂層の内層とからなる矩形状積層体の対向する端縁を前記内層同士が当接するように重ね合わせて熱接着して合掌シール部１０を有する筒状体となし、前記合掌シール部１０が背シール部を構成するように前記筒状体の対向する両側部に横断面Ｖ字状の折込部Ａ、Ｂを形成して前記筒状体の上下端縁部を上端縁熱接着部２０および下端縁熱接着部（図示せず）で熱接着して密封すると共に、前記折込部Ａの２つの側端縁部の対向する位置に前記上端縁熱接着部２０に連接して側端縁熱接着部１２、１３を設けると共に該側端縁熱接着部１２、１３の対向する位置に開封開始手段としてのＩノッチ２、２を形成し、該Ｉノッチ２、２により包装袋を引裂いた際の引裂き仮想線α上にある前記合掌シール部１０の根元部３０に該根元部３０から根元部３０の両側に前記積層体の前記内層から前記外層にその一部が達する合掌シール部開封補助手段としての一条のハーフカット５を設け、さらに前記引裂き仮想線α上にある前記折込部Ｂの折込先端部Ｂ１を含むように前記折込先端部Ｂ１を跨いで前記内層同士を熱接着した開封補助熱接着部３を設けると共に前記開封補助熱接着部３内の前記折込部Ｂの折込先端部Ｂ１を少なくとも切断する開封補助手段としての一本の直線状切込４を引裂き仮想線αとほぼ一致するように包装袋を貫通して設けたものである。また、前記合掌シール部１０の前記開封補助熱接着部３を設けた前記折込部Ｂ側に位置する前記根元部３０のみに前記合掌シール部開封補助手段を設けてもよいものである。なお、前記ハーフカット５の設け方としては、図４に示すようにガセットタイプ包装袋１’とした際の引裂き仮想線α上に位置する前記合掌シール部１０の前記根元部３０となる前記積層体の箇所に予め前記積層体の前記内層から前記外層にその一部が達するように形成されるものである。しかしながら、内層が引裂き易い樹脂の場合には、前記合掌シール部開封補助手段として、前記合掌シール部１０の前記根元部３０となる前記積層体の箇所に前記積層体の前記外層から前記内層にその一部が達するように設けたものであってもよいものである。
【００１６】
このように構成したガセットタイプ包装袋１’は、密封性に優れると共に開封する際には前記折込部Ａの前記側端縁熱接着部１２、１３に設けた両Ｉノッチ２を開封開始手段として引裂くことにより引裂き仮想線αに沿って引裂かれ、引裂き線が前記合掌シール部１０の根元部３０近傍に達すると前記合掌シール部１０の前記根元部３０の両側に設けた前記ハーフカット５により前記合掌シール部１０の前記根元部３０を抵抗なく引裂くことができ、さらに引裂き線が前記折込先端部Ｂ１近傍に達すると前記折込部Ｂの前記折込先端部Ｂ１を含むように前記折込先端部Ｂ１を跨いで前記内層同士を熱接着した開封補助熱接着部３と、この開封補助熱接着部３内に設けた前記折込先端部Ｂ１を少なくとも切断する直線状切込４との協働により前記折込先端部Ｂ１も抵抗なく引裂くことができ、第１実施形態の図２（ａ）、（ｂ）に示したものと同じようなほぼ一定の形状の開口を得ることができる。
【００１７】
図５は本発明にかかるガセットタイプ包装袋の第３実施形態を示す要部斜視図であって、ガセットタイプ包装袋１”は、少なくとも外層と熱接着性樹脂層の内層とからなる矩形状積層体の対向する端縁を前記内層同士が当接するように重ね合わせて熱接着して合掌シール部１０を有する筒状体となし、前記合掌シール部１０が背シール部を構成するように前記筒状体の対向する両側部に横断面Ｖ字状の折込部Ａ、Ｂを形成すると共に前記合掌シール部１０の根元部３０を前記折込部Ｂの折込先端部Ｂ１とほぼ合致する位置となるように構成し、前記筒状体の上下端縁部を上端縁熱接着部２０および下端縁熱接着部（図示せず）で熱接着して密封すると共に、前記折込部Ａの２つの側端縁部の対向する位置に前記上端縁熱接着部２０に連接して側端縁熱接着部１２、１３を設けると共に該側端縁熱接着部１２、１３の対向する位置に開封開始手段としてのＩノッチ２、２を形成し、該Ｉノッチ２、２により包装袋を引裂いた際の引裂き仮想線α上にある前記折込部Ｂの折込先端部Ｂ１および前記合掌シール部１０の前記根元部３０を含むように前記折込先端部Ｂ１および前記合掌シール部１０の前記根元部３０を跨いで前記内層同士を熱接着した開封補助熱接着部３を設けると共に前記開封補助熱接着部３内の前記折込部Ｂの折込先端部Ｂ１および前記合掌シール部１０の前記根元部３０を少なくとも切断する開封補助手段としての一本の直線状切込４を引裂き仮想線αとほぼ一致するように包装袋を貫通して設けたものである。
【００１８】
このように構成したガセットタイプ包装袋１”は、密封性に優れると共に開封する際には前記折込部Ａの前記側端縁熱接着部１２、１３に設けた両Ｉノッチ２を開封開始手段として引裂くことにより引裂き仮想線αに沿って引裂かれ、引裂き線が前記折込先端部Ｂ１近傍に達すると前記折込部Ｂの前記折込先端部Ｂ１および前記合掌シール部１０の根元部３０を含むように前記折込先端部Ｂ１および前記根元部３０を跨いで前記内層同士を熱接着した開封補助熱接着部３と、この開封補助熱接着部３内に設けた前記折込先端部Ｂ１および前記根元部３０を少なくとも切断する直線状切込４との協働により前記折込先端部Ｂ１および前記根元部３０も抵抗なく引裂くことができ、第１実施形態の図２（ａ）、（ｂ）に示したものと同じようなほぼ一定の形状の開口を得ることができる。
【００１９】
なお、図１において前記側端縁熱接着部１１を前記上端縁熱接着部２０に連接して前記下端縁熱接着部（図示せず）側へ一定長さ延ばした構成としたが、前記合掌シール部１０と同様に前記上端縁熱接着部２０から前記下端縁熱接着部（図示せず）に至る長さとしてもよいものであるし、図３、５においても同様に前記側端縁熱接着部１２、１３を前記上端縁熱接着部２０から前記下端縁熱接着部（図示せず）に至る長さとしてもよいものである。また、図１、３、５においては前記折込部Ｂの２つの側端縁部を折部で構成したが、図示はしないが前記上端縁熱接着部２０から前記下端縁熱接着部（図示せず）に至る一定幅の側端縁熱接着部で構成してもよいものである。また、図示はしないが図１、３、５において前記折込部ＡおよびＢの４つの側端縁部を前記上端縁熱接着部２０から前記下端縁熱接着部（図示せず）に至る一定幅の４つの側端縁熱接着部で形成したガセットタイプ包装袋とすることにより、自立性に優れた見栄えのよい包装袋とすることができる。また、図１、３、５においては、前記開封補助熱接着部３を前記上端縁熱接着部２０に連接して設けたが、前記上端縁熱接着部２０に連接することなく島状に設けてもよいものである。
【００２０】
また、実施例においては開封開始手段をＩノッチで説明したが、Ｖ字状やＵ字状等の切欠であってもよいものであるし、また、合掌シール部開封補助手段を一条のハーフカット５で例示したが、複数条の平行なハーフカットであってもよいし、ハーフカット５の前記合掌シール１０の根元部３０より開封開始手段側をＶ字状に構成したＹ字形状の１ないし複数のハーフカットであってもよいものであるし、傷痕群からなるハーフカットであってもよいものである。また、開封補助熱接着部３内に設ける直線状切込４についても一本に限ることはなく、複数本の平行な直線状切込であってもよいし、折込部Ｂの折込先端部Ｂ１よりも開封開始手段側をＶ字状に構成したＹ字形状の１ないし複数の切込であってもよいものである。また、前記開封補助手段としての切込は、開封補助熱接着部３内の前記折込先端部Ｂ１を少なくとも切断するものであればよいものであって、包装袋１、１’、１”を貫通して設ける他に、包装袋１、１’、１”の表・裏面を形成する積層体の一方および前記折込先端部Ｂ１を貫通し、包装袋１、１’、１”の表・裏面を形成する積層体の他方の一部に達するハーフカットであってもよく、また、包装袋１、１’、１”とする前の積層体の状態で前記折込先端部Ｂ１となる位置に切込を予め設け、製袋時に開封補助熱接着部３を設けてもよいものである。
【００２１】
次に、本発明のガセットタイプ包装袋１、１’、１”に用いる積層体について説明する。外層としては、たとえば、ポリプロピレン、ポリエステル、ポリアミド等の延伸したフィルムないしこれらの少なくとも一方の面にアルミニウムや酸化珪素や酸化アルミニウム、ポリ塩化ビニリデン等の水蒸気や酸素ガスバリアー層を設けたものが適当である。内層としては、熱接着性樹脂であれば特に限定するものでなく、たとえば、ポリエチレン、ポリプロピレン等の周知の熱接着性樹脂を用いることができ、Ｔダイ押出機を用いて積層するサンドイッチラミネ−ションや接着剤を用いて積層するドライラミネ−ション等の積層方法を採る場合にあってはシート化したものであってもよいし、アルミニウム等を蒸着した蒸着シートであってもよいものである。
【００２２】
また、積層体としては、ガセットタイプ包装袋１、１’、１”としたときの要求物性により、外層と内層との間に必要に応じて、機械的強靭性、耐屈曲性、耐突き刺し性、耐衝撃性、耐寒性、耐熱性、耐薬品性、バリアー性等の機能を付与ないし向上させる目的で、たとえば、ポリエステル系、ポリアミド系、ポリプロピレン系等の樹脂からなる延伸した延伸フィルムや未延伸フィルムないしこれらの少なくとも一方の面にアルミニウムや酸化珪素や酸化アルミニウム、ポリ塩化ビニリデン等の水蒸気や酸素ガスバリアー層を設けたもの、あるいは、アルミニウム箔やエチレン−酢酸ビニル共重合体ケン化物などからなるものを中間層として使用することができる。また、外層ないし中間層のいずれかにガセットタイプ包装袋とした際の引裂き方向に対して良好な引裂き性を有する延伸フィルムを用いると引裂き開封性を向上させることができるために一層好適である。
【００２３】
【発明の効果】
以上縷々説明したように、本発明は、折込部に直交する方向に容易に開封することができて、ほぼ一定の形状の開口を得ることができるという今までにない優れた開封機構を有するガセットタイプ包装袋を提供することができる。
【図面の簡単な説明】
【図１】本発明にかかるガセットタイプ包装袋の第１実施形態を示す要部斜視図である。
【図２】（ａ）は図１のガセットタイプ包装袋を開封した開口面を図解的に示す平面図、（ｂ）は（ａ）の開口面の開封補助熱接着部を剥離した状態の開口面を図解的に示す平面図である。
【図３】本発明にかかるガセットタイプ包装袋の第２実施形態を示す要部斜視図である。
【図４】図３のガセットタイプ包装袋に設けるハーフカットの設け方を説明する図である。
【図５】本発明にかかるガセットタイプ包装袋の第３実施形態を示す要部斜視図である。
【符号の説明】
１，１’，１”                ガセットタイプ包装袋
２                            Ｉノッチ
３                            開封補助熱接着部
４                            直線状切込
５                            ハーフカット
１０                          合掌シール部
１１、１２、１３              側端縁熱接着部
２０                          上端縁熱接着部
３０                          合掌シール部の根元部
Ａ，Ｂ                        折込部
Ｂ１                          折込先端部
α                            引裂き仮想線
【図１】
2004237995.tif 000003
【図２】
2004237995.tif 000004
【図３】
2004237995.tif 000005
【図４】
2004237995.tif 000006
【図５】
2004237995.tif 000007